(57)【要約】      （修正有）【課題】静電容量式と電磁式の両方の入力が可能な複合式透明タッチパネルを提供する。【解決手段】透明タッチパネルは、主にベース層１０と、第１感知層と、第１補助導電層と、第２感知層と、第２補助導電層と、絶縁層とを含む。ベース層は可視領域と遮蔽領域とを備え、第１感知層は互いに絶縁された複数の第１静電容量性感知列２１と第１電磁アンテナ列２６とを有する。第１補助導電層は第１感知層と実質的に同一の回路パターンを有し、互いに電気的に重なる。第２感知層は互いに絶縁された複数の第２静電容量感知列５１と第２電磁アンテナ列５６とを有する。第２補助導電層は第２感知層と実質的に同一の回路パターンを有し、互いに電気的に重なる。絶縁層は第１感知層と第２感知層との間に配置される。第１静電容量感知列と第２静電容量感知列とは、互いに直交し格子状の静電容量感知ユニットマトリックスを形成する。第１電磁アンテナ列と第２電磁アンテナ列とは、互いに直交し格子状の電磁アンテナ列を形成する。【選択図】図３
0003221633.tif 000002
【実用新案登録請求の範囲】
【請求項１】
複合式透明タッチパネルであり、主にベース層と、第１感知層と、第１補助導電層と、第２感知層と、第２補助導電層と、絶縁層とを含み、
前記ベース層はその主面の周縁領域上にカラーフレームを有し、前記カラーフレームは前記ベース層の中央部分に可視領域を画定し、周辺部分に枠状の遮蔽領域を画定し、
前記第１感知層は、複数の第１静電容量感知列と、複数の第１電磁アンテナ列がそれぞれ第１方向に沿って絶縁され、互いに間を置いて第１回路パターンとを有し、前記第１静電容量感知列の第１端部には第１静電容量信号オーバーラップ点が設けられ、前記第１電磁アンテナ列の第１端部には第１電磁信号オーバーラップ点が設けられ、第２端部は第１直列線に接続され、前記第１直列線はそれぞれの前記第１電磁アンテナ列を電気的に直列に接続し、前記第１回路パターンは前記可視領域に形成され、前記第１静電容量信号オーバーラップ点、前記第１電磁信号オーバーラップ点および前記第１直列線は前記遮蔽領域に配置され、
前記第１補助導電層は前記第１回路パターンと実質的に同一の第１画像パターンを有し、前記第１静電容量信号オーバーラップ点および前記第１電磁信号オーバーラップ点を含まなく、前記第１画像パターンは対応する前記第１回路パターンに電気的に接続され、そして、前記第１静電容量信号オーバーラップ点と前記第１電磁信号オーバーラップ点との間に間隔を形成し、
前記第２感知層は複数の第２静電容量感知列および複数の第２電磁アンテナ列を有し、それぞれ第２方向に沿って絶縁され、互いに間を置いて、第２回路パターンを設置し、前記第２静電容量感知列の第１端部には第２静電容量信号オーバーラップ点が設けられ、前記第２電磁アンテナ列の第１端部には第２電磁信号オーバーラップ点が設けられ、第２端部は第２直列線に接続され、前記第２直列線は前記第２電磁アンテナ列を電気的に直列に接続し、前記第２回路パターンは前記可視領域に形成され、前記第２静電容量信号オーバーラップ点、前記第２電磁信号オーバーラップ点および前記第２直列線は前記遮蔽領域に配置され、
前記第２補助導電層は前記第２回路パターンと実質的に同一の第２画像パターンを有し、前記第２静電容量信号オーバーラップ点および前記第２電磁信号オーバーラップ点を含まなく、前記第２画像パターンは対応する前記第２回路パターンに電気的に接続され、前記第２静電容量信号オーバーラップ点と前記第２電磁信号オーバーラップ点との間に間隔を形成し、
前記絶縁層は、前記第１感知層と前記第２感知層との間に配置され、互いに絶縁され、前記第１方向は前記第２方向と直交し、複数の前記第１静電容量感知列と複数の前記第２静電容量感知列は互いに直交配置されて格子状の静電容量感知ユニットマトリックスを形成し、そして、複数の前記第１電磁アンテナ列と複数の前記第２電磁アンテナ列とが直交して格子状の電磁アンテナマトリックスを形成していることを特徴とする、複合式透明タッチパネル。
【請求項２】
前記第１感知層および前記第２感知層は、高い光透過率を有する金属酸化物膜であり、前記金属酸化物膜の材料は、インジウムスズ酸化物、インジウム亜鉛酸化物、亜鉛アルミナイドまたはアンチモン錫酸化物から選択されることを特徴とする、請求項１に記載の複合式透明タッチパネル。
【請求項３】
前記第１補助導電層および前記第２補助導電層の材料は、金属メッシュまたはグラフェン薄膜のうちの１つから選択されることを特徴とする、請求項１に記載の複合式透明タッチパネル。
【請求項４】
前記金属メッシュは、細い高導電性のナノスケール金属ワイヤからなり、前記ナノスケール金属ワイヤの材料は、金、銀、銅、アルミニウム、モリブデン、ニッケルから選択されることを特徴とする、請求項３に記載の複合式透明タッチパネル。
【請求項５】
前記間隔の幅は、約２００μｍ以上であることを特徴とする、請求項１に記載の複合式透明タッチパネル。
【請求項６】
前記第１回路パターンは、それぞれの第１静電容量感知列と第１電磁アンテナ列との間に第１絶縁列が配置され、前記第２回路パターンは、それぞれの第２静電容量感知列と第２電磁アンテナ列の間に第２絶縁列が配置されていることを特徴とする、請求項１に記載の複合式透明タッチパネル。
【請求項７】
前記第１絶縁列および前記第２絶縁列は、互いに接続されていない導電材料の複数の小領域で構成され、複数の前記小領域は間隙によって互いに絶縁されていることを特徴とする、請求項６に記載の複合式透明タッチパネル。
【請求項８】
前記小領域の形状は、六角形、三角形、長方形、台形、帯状、多角形、または円形から選択されることを特徴とする、請求項７に記載の複合式透明タッチパネル。
【請求項９】
前記絶縁層の材料は、固体光学フィルムまたは液体光学樹脂から選択されることを特徴とする、請求項１に記載の複合式透明タッチパネル。
【考案の詳細な説明】
【技術分野】
【０００１】
本考案は、改良された複合式透明タッチパネルに係わり、特にスクリーンの前面に配置され、静電容量式と電磁式の両方のタッチセンシング機能を持つ透明タッチパネルに関する。
【背景技術】
【０００２】
現在、静電容量式タッチセンサーは、大部分が透明な酸化インジウムスズ（ＩＴＯ）導電性材料で作られており、その透明性のためにスクリーンの前で使用するように構成することができる。従来の電磁式タッチセンサーのＸ／Ｙ軸アンテナアレイは金属材料を使用しているが、金属ワイヤは光を透過させることができないので、スクリーンの視認性を著しく損なうことを避けるためにスクリーンの底面に配置される。さらに、従来の透明静電容量式タッチセンサーは、透明ＩＴＯ薄膜上に複数の静電容量感知電極およびその信号導線をスクライブすることによってタッチ感知回路パターンを形成する。そのため、ＩＴＯ膜上には、導電材料を保持する電極部と、導電材料を除去した中空部とが形成される。電極部分と中空部分は異なる透過率(Ｔｒａｎｓｍｉｔｔａｎｃｅe)を有し、その結果、ＩＴＯフィルムを通って屈折する光が不均一になる。この結果は、人間の目が観察するとき、特にそれがスクリーンの前で使用されるとき、明らかなパターンまたはテクスチャーをもたらすであろう、それはスクリーン画像の歪みおよびぼけを引き起こすであろう。さらに、近年、電子製品の精密化の傾向に伴って、タッチセンサー上のタッチ感知電極および信号導線のサイズ仕様もますます小さくなっている。細くて薄いＩＴＯ感知電極と信号導線は高インピーダンス値を生成し、それは信号の伝導を助長するものではなく、特に大規模なタッチパネルのアプリケーションでは、ITO薄膜の導電性はニーズを満たすことができなかった。
一方、電磁式タッチセンサーの誘導コイル回路またはアンテナアレイは低インピーダンス特性を持たなければならないので、一般的に透明なＩＴＯ導電性薄膜はこの要件を満たすことができない。そのため、導電性の高い金属線や金属膜でできていることが多いのであるが、金属線は透明ではないため、画面の正面に置くと遮光効果や光学干渉模様（Moire）が発生し、表示品質に大きな影響を与える。それ故、それはスクリーンの底面にのみ使用することができ、スクリーンの全モジュール構造の厚さの増加をもたらし、軽量で薄い製品のニーズに反する。また、電磁式タッチセンサーと電磁ペンとはスクリーンのパネル構造を間に挟んで動作するため、画面の端部を利用することで電磁ペン入力の入力精度が低下するという問題が生じやすい。そのため、低インピーダンス特性に基づいてスクリーン画面の視認性を低下させることなく、電磁式タッチセンサーをスクリーンの正面にどのように配置するかは解決すべき緊急の課題である。
【考案の概要】
【考案が解決しようとする課題】
【０００３】
本考案の主な目的は、ユーザーの操作を容易にするために静電容量式と電磁式の両方のタッチセンシング機能を持つ２種類のタッチ入力方法が利用可能であり、そして複数のタッチ入力機能は新しいソフトウェアアプリケーションの開発および適用をより助長する。また、透明タッチパネルは、均一な光透過率を有し、スクリーン画面の視認性を確保するためにスクリーンの前面に配置することができ、タッチ信号の伝導効率を向上させ、大型タッチパネルのデザインと応用を容易にすることができる。
【課題を解決するための手段】
【０００４】
上記の目的を達成するために、本考案によって提供される改良された複合透明タッチパネルは主にベース層と、第１感知層と、第１補助導電層と、第２感知層と、第２補助導電層と、絶縁層とを含む。
ベース層はその主面の周縁領域上にカラーフレームを有し、該カラーフレームは該ベース層上の中央部分に可視領域を画定し、周辺部分に枠形状の遮蔽領域を画定する。
第１感知層は、複数の第１静電容量感知列と、複数の第１電磁アンテナ列がそれぞれ第１方向に沿って絶縁され、互いに間を置いて第１回路パターンとを有する。第１静電容量感知列の第１端部には第１静電容量信号オーバーラップ点が設けられ、第１電磁アンテナ列の第１端部には第１電磁信号オーバーラップ点が設けられている。第２端部は第１直列線に接続され、第１直列線はそれぞれの第１電磁アンテナ列を直列に電気的に接続する。第１回路パターンは可視領域に形成されているが、第１静電容量信号オーバーラップ点、第１電磁信号オーバーラップ点および第１直列線は遮蔽領域に配置されている。
第１補助導電層は第１回路パターンと実質的に同一の第１の画像パターンを有するが、第１静電容量信号オーバーラップ点および第１電磁信号オーバーラップ点の一部を含まない。第１画像パターンは対応する第１回路パターン上に電気的に接続され、そして、第１静電容量信号オーバーラップ点と第１電磁信号オーバーラップ点との間に間隔を形成し、間隔幅は２００μｍ以上である。
第２感知層は複数の第２静電容量感知列および複数の第２電磁アンテナ列を有し、それぞれ第２方向に沿って絶縁され、互いに間を置いて、第２回路パターンを設置する。第２静電容量感知列の第１端部には第２静電容量信号オーバーラップ点が設けられ、第２電磁アンテナ列の第１端部には第２電磁信号オーバーラップ点が設けられている。第２端部は第２直列線に接続され、第２直列線は第２電磁アンテナ列を直列に電気的に接続する。第２回路パターンは可視領域に形成されているが、第２静電容量信号オーバーラップ点、第２電磁信号オーバーラップ点および第２直列線は遮蔽領域に配置されている。
第２補助導電層は前記第２回路パターンと実質的に同一の第２画像パターンを有するが、前記第２静電容量信号オーバーラップ点および前記第２電磁信号オーバーラップ点の一部を含まない。第２画像パターンは対応する第２回路パターンに電気的に接続され、第２静電容量信号オーバーラップ点と第２電磁信号オーバーラップ点との間に間隔を形成し、間隔の 幅が２００μｍ以上である。
絶縁層は、第１感知層と第２感知層との間に配置され、互いに絶縁されている。第１方向は第２方向と直交し、複数の第１静電容量感知列と複数の第２静電容量感知列は互いに直交配置されて格子状の静電容量感知ユニットマトリックスを形成している。そして、複数の第１電磁アンテナ列と複数の第２電磁アンテナ列とが直交して格子状の電磁アンテナマトリックスを形成している。複数の第１静電容量信号オーバーラップ点、複数の第１電磁信号オーバーラップ点、および複数の第２静電容量信号オーバーラップ点、複数の第２電磁信号オーバーラップ点は、それぞれ信号導線に電気的に接続されている。第１感知層および第２感知層によって捕捉されたタッチ感知信号は、信号導線を介して演算のために後続の信号処理回路に送信できる。
特に、第１感知層および第２感知層は、高い光透過率を有する金属酸化物膜であり、金属酸化物膜の材料は、インジウムスズ酸化物（ＩＴＯ）、インジウム亜鉛酸化物（ＩＺＯ）、亜鉛アルミナイド（ＡＺＯ）またはアンチモン錫酸化物（ＡＴＯ）から選択されるが、実施の範囲は上述の材料に限定されない。
特に、第１補助導電層および第２補助導電層の材料は、金属メッシュ（Ｍｅｔａｌ Ｍｅｓｈ）またはグラフェン（Ｇｒａｐｈｅｎｅ）薄膜のうちの１つから選択される。ここで、金属メッシュは、高導電性のナノスケール金属ワイヤからなり、ナノスケール金属ワイヤの材料は、金、銀、銅、アルミニウム、モリブデン、ニッケル、またはこれらの材料の合金から選択される。しかしながら、実施の範囲は上記の材料に限定されない。
特に、第１回路パターンは、それぞれの第１静電容量感知列と第１電磁アンテナ列との間に第１絶縁列が配置され、第２回路パターンは、それぞれの第２静電容量感知列と第２電磁アンテナ列の間に第２絶縁列が配置されている。好ましくは、第１絶縁列および第２絶縁列は、互いに接続されていない導電材料の複数の小領域で構成され、複数の小領域は間隔によって互いに絶縁されている。小領域の形状は、六角形、三角形、長方形、台形、帯状、多角形、円形等の種々の幾何学的形状、または上記の複数の幾何学的形状から選択されるが、実施範囲は上記の形状に限定されない。
特に、絶縁層の材料は、固体光学フィルム（ＯＣＡ）または液体光学樹脂（ＯＣＲ）などから選択されるが、実施の範囲は上記の材料に限定されない。
これは、本明細書の記載を読んだ後に当業者によって実施されるであろう。本考案の他の機能および技術的特徴をさらに明らかにするであろう。
【考案の効果】
【０００５】
本考案はタッチ信号伝送の品質を向上させることができるだけでなく、大型タッチパネルの設計および応用、タッチセンシング層の数を減少させ、タッチパネルの厚さを減少させることができ、材料コストの節約という目的を達成できる。また、本考案は、ＩＴＯ導電膜上に金属メッシュ導電材料を電気的に接続しているので、どちらかに信号伝送不良や誤動作が生じても、他の通常のキャリアで維持することができる。これは製品の製造時に高い歩留まり品質を保証し、製品の耐用年数を延ばすことができ、多くの利点を有する。
【図面の簡単な説明】
【０００６】
【図１】本考案の積層アーキテクチャの簡略図である。
【図２】本考案の正面図である。
【図３】本考案の背面図である。
【図４】本考案の第一感知層の平面図である。
【図５】図４のＡ部の拡大図である。
【図６】本考案の第１補助導電層の平面図である。
【図７】図６のＢ部の拡大図である。
【図８】本考案の第１補助導電層が第１感知層上に積層されている平面図である。
【図９】図８のＣ部の拡大図である。
【図１０】第２感知層上に積層された本考案の第２補助導電層の平面図である。
【図１１】本考案の第１絶縁列上に複数の小領域が配置されたパターンを示す図４のＡ部の拡大図である。
【考案を実施するための形態】
【０００７】
添付の図面は、本考案の好ましい実施形態であり、図面の一部は、より明確な説明を提供し、本考案の技術的特徴をより容易に理解するために、それらの相対寸法に従って描かれていない。他の関連する縮尺と比較して、一部の寸法は誇張されているが、関係のない詳細は、スキーマを単純にするために完全には描かれていない。
【０００８】
図１に示すように、本考案の複合透明タッチパネルは、主に、ベース層１０と、第１感知層２０と、第１補助導電層３０と、絶縁層４０と、第２感知層５０と、第２補助導電層６０を備えている。
【０００９】
図１及び図２に示すように、ベース層１０は、機械的強度に優れた高透過率ガラス板であり、ベース層１０の表面の周縁部には、絶縁性のブラックマトリックス材（Ｂｌａｃｋ Ｍａｔｒｉｘ； ＢＭ）により、形成されたカラーフレームが設けられ、カラーフレームを介して、ベース層１０上の中央部に可視領域１１ａを、周縁部に枠状の遮蔽領域１１ｂを画定することができる。
【００１０】
図２から図５までを参照すると、第１感知層２０（すなわち、Ｙ軸感知層）は、高透過率のＩＴＯ導電膜である。それは、第１方向（すなわちＹ軸方向）に沿って配置された複数行の第１静電容量感知列２１（すなわち、Ｙ軸静電容量感知列）、複数行の第１絶縁列２４、および複数行の第１電磁アンテナ列２６を含む。第１絶縁列２４は、第１静電容量感知列２１と第１電磁アンテナ列２６との間に配置され、互いに絶縁されて第１回路パターン２０ａを形成する。図４および図５に示すように、各第１静電容量感知列２１は、複数の類菱形の第１静電容量感知ユニット２１ａからなり、その右端に第１静電容量信号オーバーラップ点２１ｂが配置されている。第１電磁アンテナ列２６の右端には第１電磁信号オーバーラップ点２７が設けられ、左端は第１直列線２８に接続されている。第１直列線２８は、それぞれの第１電磁アンテナ列２６を互いに電気的に接続する。図２及び図３に示すように、第１回路パターン２０ａは、基板の可視領域１１ａに形成されているが、第１静電容量信号オーバーラップ点２１ｂ、第１電磁信号オーバーラップ点２７及び第１直列線２８は部分的に遮蔽領域１１ｂの範囲内に配置されている。
【００１１】
図３及び図６から図９までを参照すると、第１補助導電層３０は金属メッシュ(Metal Mesh)導電層であり、第１補助導電層３０には第１画像パターン３０ａが形成されている。第１画像パターン３０ａは、前述の第１回路パターン２０ａと同じパターンであるが、第１静電容量信号オーバーラップ点２１ｂおよび第１電磁信号オーバーラップ点２７の部分を含まない。第１画像パターン３０ａは、第１回路パターン２０ａと電気的に重なり合い、第１静電容量信号オーバーラップ点２１ｂと第１電磁信号オーバーラップ点２７との間に間隔Ｄを形成する。間隔Ｄの幅は、約２００μｍ以上であることが好ましい。間隔Ｄの配置によって第１補助導電層３０と第１感知層２０とが電気的に重なると、第１補助導電層３０の端部は、第１静電容量信号オーバーラップ点２１ｂと第１電磁信号オーバーラップ点２７とが電気的に接続されない。
【００１２】
図２、図３および図１０を参照すると、第２感知層５０（すなわちＸ軸感知層）は、高透過率ＩＴＯ導電膜であり、第２方向（すなわちＸ軸）に沿って設置された複数行の第２静電容量感知列５１（すなわち、Ｘ軸静電容量感知列）と、複数行の第２絶縁列５４と、複数行の第２電磁アンテナ列５６（すなわち、Ｘ軸電磁アンテナ列）とを含む。第２絶縁列５４は、第２静電容量感知列５１と第２電磁アンテナ列５６との間に配置され、互いに絶縁されて第２回路パターン５０ａを形成する。図６に示すように、各第２静電容量感知列５１は、複数の類菱形の第２静電容量感知ユニット５１ａから直列に構成され、その上端に第２静電容量信号オーバーラップ点５１ｂが設けられている。各第２電磁アンテナ列５６の上端には第２電磁信号オーバーラップ点５７が設けられ、下端には第２直列線５８が接続されている。第２直列線５８は各第２電磁アンテナ列５６を電気的に直列で接続している。基板の可視領域１１ａには第２回路パターン５０ａが形成されているが、遮蔽領域１１ｂの範囲には第２静電容量信号オーバーラップ点５１ｂ、第２電磁信号オーバーラップ点５７および第２直列線５８が部分的配置されている。第２補助導電層６０は金属メッシュ導電層であり、第２補助導電層６０には第２画像パターン６０ａが配置されている。第２画像パターン６０ａは、第２回路パターン５０ａと同じパターンを有するが、第２静電容量信号オーバーラップ点５１ｂおよび第２電磁信号オーバーラップ点５７を含まない。第２画像パターン６０ａは、第２回路パターン５０ａと電気的に重なり合い、第２静電容量信号オーバーラップ点５１ｂと第２電磁信号オーバーラップ点５７との間に間隔Ｄを形成する。間隔Ｄの配置によって第２補助導電層６０が第２感知層５０と電気的に接続されると、第２補助導電層６０の端部は第２静電容量信号オーバーラップ点５１ｂと、第２電磁信号オーバーラップ点５７と、電気的に接続されない。
【００１３】
図１を参照すると、第１補助導電層３０は第１感知層２０と電気的に重なり合い、第２補助導電層６０は第２感知層５０と電気的に重なり合い、第１感知層２０と第２感知層５０との間に透明絶縁層４０によって互いに絶縁して分離されている。透明絶縁層４０は、固体光学フィルム（ＯＣＡ）または液体光学樹脂（ＯＣＲ）のうちの１つであり、それによって２つの感知層２０および５０を絶縁して分離することができると同時に、両者を接合して一体になる機能を備えている。図２及び図３に示すように、２つの感知層２０、５０を結合した後、第１及び第２静電容量感知列２１、５１は互いに直交し、第１および第２静電容量式感知ユニット２１ａ、５１ａは、交錯の相補的なパターンで設置され、共同で菱形の格子状静電容量感知ユニットマトリックスを形成する。第１および第２電磁アンテナ列２６、５６もまた互いに直交するように配置されて矩形格子状の電磁アンテナマトリックスを形成する。第１感知層２０及び第２感知層５０上の第１及び第２静電容量信号オーバーラップ点２１ｂ、５１ｂ、および第１、第２電磁信号オーバーラップ点２７、５７は、全て遮蔽領域１１ｂ内に配置されている。
これらはそれぞれ信号導線２５および５５を接続することによってタッチ信号を信号処理回路（図示せず）に接続して演算することができる。
【００１４】
上記の説明によれば、本考案は、誘導体として高透過率ＩＴＯ導電性フィルムを使用し、補助導電層として光透過性を有する金属メッシュ導電性材料を使用し、静電容量式タッチセンサーと電磁式タッチセンサーを一体化し、スクリーンの前面に配置することができ、二重タッチ機能を有する透明タッチセンサー構造を形成する。そして、本考案は、第１及び第２感知層２０及び５０によって選択されたＩＴＯ導電膜を複数の静電容量感知列、電磁アンテナ列および絶縁列に分割する。ＩＴＯ導電膜は、絶縁分割に必要な導電膜材料の一部を除いて、ほとんどの導電膜材料を保持している。従って、ＩＴＯ導電性薄膜全体の中空領域はごくわずかな部分しか占めず、それによって感知層の透過率の均一性を効果的に改善し、スクリーン上の干渉表示画像を改善する。また、第１補助導電層３０及び第２補助導電層６０は、高導電性及び低インピーダンス特性を有する金属メッシュ導電材料からなり、金属メッシュ導電材料は、複数の細い金属線からなる（例えば、銀ナノワイヤは縦横に伸び、交錯配列して中空率95％以上の高透過メッシュ面を形成している。補助導電層３０、６０の金属メッシュ導電材料は、第１および第２の感知層２０、５０に使用されるＩＴＯ導電膜よりも低いインピーダンス値を有するので、補助導電層３０、６０は第１及び第２感知層２０、５０と電気的に接続され、それによって静電容量感知列２１、５１及び電磁アンテナ列２６、５６上のタッチ信号伝送効率を改善し、伝送中のタッチ信号の減衰率を下げることができる。これによれば、タッチ信号伝送の品質を向上させることができるだけでなく、大型タッチパネルの設計および応用、タッチセンシング層の数を減少させ、タッチパネルの厚さを減少させることができ、材料コストの節約という目的を達成できる。また、高透過金属グリッド導電材料は、ナノスケールの金属細線からなり、ナノスケールの金属細線は透明でなくても人間の目で識別できないため、可視領域１１ａに配置されても透明タッチセンサー全体の視認性を損なうことがない。
さらに、本考案は、ＩＴＯ導電膜上に金属メッシュ導電材料を電気的に接続しているので、どちらかに信号伝送不良や誤動作が生じても、他の通常のキャリアで維持することができる。これは製品の製造時に高い歩留まり品質を保証し、製品の耐用年数を延ばすことができ、多くの利点を有する。
【００１５】
図１１に示すように、他の実施形態では、第１および第２の絶縁列２４、５４の導電性材料は、互いに接続されていない複数の小領域Ｓを形成するように配置することができる。小領域Ｓは間隙Ｓ１によって互いに絶縁されており、間隙Ｓ１の幅は５０μｍ以上であり、深さは第１および第２感知層２０、５０の導電材料を完全に遮断するように設置されている。小領域Ｓの形状は、六角形、三角形、長方形、台形、帯状、多角形、円形等の種々の幾何学的形状から選択されるか、あるいはこれらの複数の幾何学的形状からなる。小面積Ｓパターンの配置は、第１および第２感知層の外観の均一性および光透過率の均一性を改善し、領域を細かく分割することによって領域のノイズ静電容量値を低減して優れた電気的特性を得ることができる。
【符号の説明】
【００１６】
１０  ベース層
１１  カラーフレーム
１１ａ  可視領域
１１ｂ  遮蔽領域
２０  第１感知層
２０ａ  第1回路パターン
２１  第１静電容量感知列
２１a  第１静電容量感知ユニット
２１b  第１静電容量信号オーバーラップ点
２４  第１絶縁列
２５  信号導線
２６  第１電磁アンテナ列
２７  第１電磁信号オーバーラップ点
２８  第１直列線
３０  第１補助導電層
３０ａ  第１画像パターン
３１  カラーフレーム
３１a  遮蔽領域
３１b  可視領域
４０  絶縁層
５０  第２感知層
５０ａ  第２回路パターン
５１  第２静電容量感知列
５１a  第２静電容量感知列
５１b  第２静電容量信号オーバーラップ点
５４  第２絶縁列
５５  信号導線
５６  第２電磁アンテナ列
５７  第２電磁信号オーバーラップ点
５８  第２直列線
６０  第２補助導電層
６０a  第２画像パターン
Ｄ  間隔
Ｓ  小領域
Ｓ１  間隙
【図１】
0003221633.tif 000003
【図２】
0003221633.tif 000004
【図３】
0003221633.tif 000005
【図４】
0003221633.tif 000006
【図５】
0003221633.tif 000007
【図６】
0003221633.tif 000008
【図７】
0003221633.tif 000009
【図８】
0003221633.tif 000010
【図９】
0003221633.tif 000011
【図１０】
0003221633.tif 000012
【図１１】
0003221633.tif 000013